(57)【要約】【課題】撮像ユニット等を保護しつつ効率的な清掃を可能にする撮像装置用清掃器具を提供する。【解決手段】光源ユニット２０は、本体部１４の両端部に着脱自在に取付け可能である。本体部１４の入射端部１４Ｅ１側に光源ユニット２０が取付けられ、つまみ２１が矢印Ａの示す方向に回転されると、ＬＥＤ２４からの照明光が入射端部１４Ｅ１、導光部材１６を介して矢印Ｂの示すように出射面１４Ｓから出射される。照明光の下で清掃作業を行うことにより、清掃器具１０により誤って撮像ユニット、その周辺部材等が破損することが防止されるとともに、効率的な清掃が可能となる。一方、光源ユニット２０が出射端部１４Ｅ２側に取付けられると、粘着性部材１２は、光源ユニット２０の壁面部材２５等により密閉される。このため、清掃器具１０の未使用時には、光源ユニット２０は出射端部１４Ｅ２に取付けられ、粘着性部材１２が保護される。【選択図】図４
2008022471.tif 000002
【特許請求の範囲】
【請求項１】
撮像装置に設けられた撮像ユニットの受光面上にある異物を除去する撮像装置用清掃器具であって、
前記異物を粘着させるための粘着性部材と、
前記粘着性部材が取付けられており、少なくとも周辺部が導光部材で形成されている棒状の本体部と、
前記導光部材に照明光を入射させるための光源ユニットとを備え、
前記粘着性部材が前記本体部の端部に設けられており、前記導光部材に入射した前記照明光が、前記粘着性部材の周辺から前記被清掃面に向けて出射されることを特徴とする撮像装置用清掃器具。
【請求項２】
前記本体部が、前記粘着性部材側の端部において前記粘着性部材よりも前記本体部の径方向に突出した拡開部を有することを特徴とする請求項１に記載の撮像装置用清掃器具。
【請求項３】
前記本体部の実質的に全ての領域が前記導光部材で形成されていることを特徴とする請求項１に記載の撮像装置用清掃器具。
【請求項４】
前記本体部において、前記本体部の延びる方向に平行な平面が設けられていることを特徴とする請求項１に記載の撮像装置用清掃器具。
【請求項５】
前記光源ユニットが前記本体部の両端部において着脱自在であり、前記光源ユニットが前記本体部の前記粘着性部材側の端部に取付けられることにより、前記粘着性部材が前記光源ユニットにより覆われることを特徴とする請求項１に記載の撮像装置用清掃器具。
【請求項６】
前記導光部材がアクリル樹脂で形成されていることを特徴とする請求項１に記載の撮像装置用清掃器具。
【請求項７】
前記光源ユニットがＬＥＤを含むことを特徴とする請求項１に記載の撮像装置用清掃器具。
【請求項８】
撮像ユニットの被清掃面上にある異物を粘着させるための粘着性部材と、前記粘着性部材が先端に取付けられており、少なくとも周辺部が導光部材で形成されている棒状の本体部とを有する撮像装置用清掃器具とともに使用される撮像装置用光源ユニットであって、
前記本体部における前記粘着性部材とは反対側の端部であって、前記導光部材に照明光を入射させて前記粘着性部材の周辺から前記被清掃面に向けて出射させる入射側端部と、
前記本体部における前記粘着性部材側の端部であって、前記粘着性部材を覆う出射側端部とのいずれにも着脱自在に取付け可能であることを特徴とする撮像装置用光源ユニット。
【請求項９】
撮像ユニットの被清掃面上にある異物を粘着させるための粘着性部材と、前記粘着性部材が先端に取付けられている棒状の本体部とを有する撮像装置用清掃器具に取付けられる撮像装置用照明ユニットであって、
前記本体部の周囲に取付けられる導光部材と、
前記導光部材に照明光を入射させるための光源ユニットとを備え、
前記照明ユニットが前記撮像装置用清掃器具に取付けられると、前記導光部材に入射した前記照明光が、前記粘着性部材の周辺から前記被清掃面に向けて出射可能であることを特徴とする撮像装置用照明ユニット。
【請求項１０】
前記照明ユニットが、前記撮像装置用清掃器具に対して着脱自在に取付けられることを特徴とする請求項９に記載の撮像装置用照明ユニット。
【発明の詳細な説明】
【技術分野】
【０００１】
本発明は、撮像装置用清掃器具に関し、特に、レンズ交換式デジタルカメラの撮像ユニット等に付着する異物を取り除く清掃器具に関する。
【背景技術】
【０００２】
近年、レンズ交換式のデジタルカメラが普及しつつある。レンズ交換式デジタルカメラにおいては、レンズ交換等により混入する埃などの異物が、内蔵された撮像ユニットの表面に付着する場合がある。このため、異物が撮像ユニットに付着することによる異物の写り込みなどの画質低下を防ぐために、撮像ユニット表面から異物を取り除く装置が知られている（例えば特許文献１）。
【０００３】
また、精密機械、電子部品等の清掃のために用いられる掃除具であって、被清掃面上にある異物を粘着させる粘着性部材を取付けた掃除具も知られている（例えば特許文献２〜６）。
【特許文献１】特開２００５−３１６３９１号公報
【特許文献２】特開２００５−３３４５２５号公報
【特許文献３】特開２００６−１３４号公報
【特許文献４】特開２００６−６６９０号公報
【特許文献５】登録実用新案第３０２２８４３号公報
【特許文献６】登録実用新案第３０４２０１４号公報
【発明の開示】
【発明が解決しようとする課題】
【０００４】
撮像ユニットは撮像装置であるデジタル一眼レフカメラ等の内部に設けられており、周囲は迷光防止処理のため暗く、撮像ユニット表面に付着した異物等を視認することは困難である。さらに、撮像ユニットの手前に設けられたミラーボックスやフォーカルプレーンシャッター等を避けて清掃することが必要であるため、清掃の作業も困難である。従って、従来の掃除具や撮像ユニットから異物を取り除く装置等を用いても、撮像ユニット等の効率的な清掃ができず、さらに、誤って必要以上に強い力で掃除具等を使用してしまったり、やみくもに掃除具等を使用してしまうと、撮像ユニットやフォーカルプレーンシャッターやミラーボックス等の破損を招くおそれがある。
【０００５】
本発明は、撮像ユニット等を保護しつつ効率的な清掃を可能にする撮像装置用清掃器具を提供することを目的とする。
【課題を解決するための手段】
【０００６】
本発明の清掃器具は、撮像装置に設けられた撮像ユニットの受光面上にある異物を除去する撮像装置用清掃器具であって、異物を粘着させるための粘着性部材と、粘着性部材が取付けられており、少なくとも周辺部が導光部材で形成されている棒状の本体部と、導光部材に照明光を入射させるための光源ユニットとを備え、粘着性部材と光源ユニットとが本体部の互いに反対側の端部に設けられており、導光部材に入射した照明光が、粘着性部材の周辺から被清掃面に向けて出射されることを特徴とする。
【０００７】
本体部は、粘着性部材側の端部において粘着性部材よりも本体部の径方向に突出した拡開部を有することが好ましい。本体部において、実質的に全ての領域が導光部材で形成されていることが好ましい。また、本体部において、本体部の延びる方向に平行な平面が設けられていることが好ましい。
【０００８】
光源ユニットは、本体部の両端部において着脱自在であり、光源ユニットが本体部の粘着性部材側の端部に取付けられることにより、粘着性部材が光源ユニットにより覆われることが望ましい。
【０００９】
導光部材は、例えばアクリル樹脂で形成されている。また、光源ユニットは、例えばＬＥＤを含む。
【００１０】
本発明の光源ユニットは、撮像ユニットの被清掃面上にある異物を粘着させるための粘着性部材と、粘着性部材が先端に取付けられており、少なくとも周辺部が導光部材で形成されている棒状の本体部とを有する撮像装置用清掃器具とともに使用される撮像装置用光源ユニットである。そして光源ユニットは、本体部における粘着性部材とは反対側の端部であって、導光部材に照明光を入射させて粘着性部材の周辺から被清掃面に向けて出射させる入射側端部と、本体部における粘着性部材側の端部であって、粘着性部材を覆う出射側端部とのいずれにも着脱自在に取付け可能であることを特徴とする。
【００１１】
本発明の照明ユニットは、撮像ユニットの被清掃面上にある異物を粘着させるための粘着性部材と、粘着性部材が先端に取付けられている棒状の本体部とを有する撮像装置用清掃器具に取付けられる撮像装置用照明ユニットである。そして照明ユニットは、本体部の周囲に取付けられる導光部材と、導光部材に照明光を入射させるための光源ユニットとを備え、照明ユニットが撮像装置用清掃器具に取付けられると、導光部材に入射した照明光が、粘着性部材の周辺から被清掃面に向けて出射可能であることを特徴とする。
【００１２】
照明ユニットは、撮像装置用清掃器具に対して着脱自在に取付けられることが好ましい。
【発明の効果】
【００１３】
本発明によれば、撮像ユニット等を保護しつつ効率的な清掃を可能にする撮像装置用清掃器具を実現できる。
【発明を実施するための最良の形態】
【００１４】
以下、本発明の実施形態を、図面を参照して説明する。図１は、第１の実施形態における清掃器具の正面図および断面図である。
【００１５】
清掃器具１０は、ＣＣＤ等の撮像ユニット、ローパスフィルタ、赤外カットフィルタ、保護ガラスなどで構成される撮像ユニットの受光面等（いずれも図示せず）の最表面に付着した埃などの異物を除去、清掃するために使用される。なお、撮像ユニットにおいては、上記の赤外カットフィルタやローパスフィルタが撮像ユニット本体に着脱自在なものもあり、清掃器具１０は、このような構成の撮像ユニットにおいては、撮像ユニット本体に装着された最表面の光学部材の受光面を清掃する。
【００１６】
清掃器具１０は、ブチルゴムで形成され、異物を粘着させる粘着性部材１２と、粘着性部材１２が取付けられた棒状の本体部１４とを含む（図１（ｂ）の断面図参照）。本体部１４の周辺部にはアクリル樹脂の導光部材１６が形成されており、中心部１７は導光性のない樹脂等で形成されている。粘着性部材１２は、本体部１４よりも小さく直径の短い円柱形であり、清掃器具１０の先端に設けられている。
【００１７】
清掃器具１０の粘着性部材１２とは反対側の端部には、光源ユニット２０が設けられている。光源ユニット２０においては、つまみ２１が矢印Ａの示す方向に回転され、バネ２２が収縮すると、２つの電池２３からＬＥＤ２４に電力が供給される。電力が供給されたＬＥＤ２４は、導光部材１６に向けて照明光を出射する。
【００１８】
導光部材１６は、光源ユニット２０の近傍から、粘着性部材１２の取付けられている本体部１４の出射面１４Ｓまで延びている。このため導光部材１６に入射された照明光は、導光部材１６の内部において、全反射を繰り返しながら本体部１４の出射面１４Ｓに進む。そして照明光は、矢印Ｂの示すように、出射面１４Ｓにおける粘着部材１２の周辺部から、清掃器具１０の清掃の対象である撮像ユニットの表面等に向けて出射される。
【００１９】
以上のように本実施形態によれば、例えばデジタル一眼レフカメラの内部等、迷光防止処理がなされた暗いミラーボックスの奥深くに位置する撮像ユニットとその周辺が照明される。このため、従来は、照明のない、良く見えない状態でやみくもに清掃を行うと、撮像ユニット等が誤って必要以上に強い力で清掃器具１０により押圧されたり、ミラーボックスやフォーカルプレーンシャッターなど撮像手段周辺を破壊したりすることがあったが、この照明によりこれらが防止され、撮像ユニットが保護されるとともに、清掃作業が容易になる。
【００２０】
さらに、導光部材１６を本体部１４の周辺部のみに設けることにより、粘着性部材１２によって遮られることのないように照明光を出射面１４Ｓの外周付近のみから出射させることから、効率的な照明が可能である。なお本体部１４の中心部１７は、中空であっても良く、これは後述する実施形態においても同様である。
【００２１】
そして、本体部１４の直径が粘着性部材１２の直径よりも大きいことから、清掃器具１０が作業台等の水平面上に置かれると、本体部１４のみが作業台等に接し、粘着性部材１２は作業台等に接触しない。このため、作業台の上にあった異物等が粘着性部材１２に付着することが避けられ、粘着性部材１２の粘着性低下が防止できる。
【００２２】
図２は、第２の実施形態における清掃器具の正面図および断面図である。
【００２３】
本実施形態の清掃器具１０は、本体部１４の粘着性部材１２側の端部において拡開部１４Ｆが設けられている点が第１の実施形態と異なる。すなわち、本実施形態の本体部１４においては、粘着性部材１２側の端部近傍において導光部材１６が本体部１４の径方向に粘着性部材１２よりも突出している（図２（ｂ）の断面図参照）。このため、本体部１４の出射面１４Ｓは、第１の実施形態よりも広い（図１（ａ）および図２（ａ）の正面図参照）。
【００２４】
従って本実施形態においては、矢印Ｂの示すように、第１の実施形態よりも照明光の出射角が大きくなり、撮像ユニット等およびその周囲がより広い範囲に渡って照明される。さらに、本体部１４において、粘着性部材１２側の端部に近いほど径が長い円錐台状の拡開部１４Ｆが設けられていることにより、清掃器具１０が作業台等の水平面上に置かれると、拡開部１４Ｆと光源ユニット２０のつまみ２１のみが作業台等に接する。このため、拡開部１４Ｆに隣接する粘着性部材１２の作業台等への接触、粘着性部材１２への異物の付着が確実に防止できる。
【００２５】
以上のように本実施形態によれば、より効率的な清掃作業が可能であるとともに、粘着性部材１２の粘着性を保持することが容易である。
【００２６】
図３は、第３の実施形態における清掃器具の正面図および断面図である。
【００２７】
本実施形態の清掃器具１０は、本体部１４のほぼ全ての領域が導光部材１６である点と、本体部１４において、矢印Ｃの示す本体部１４が延びる方向に平行な平面１４Ｐが設けられている点とが第１の実施形態と異なる。
【００２８】
すなわちまず、本実施形態の本体部１４は、粘着性部材１２の取付軸部材１３を除く全領域が導光部材１６で形成されている。このため、アクリル樹脂等の導光部材１６がより多く必要となるが、本体部１４の構造を簡素化することができ、なおかつ出射面１４Ｓにおける粘着性部材１２の後方側、すなわち出射面１４Ｓの中心付近からも照明光がされ、撮像ユニット等をより明るく照明することができる。
【００２９】
さらに、本体部１４の径方向において粘着性部材１２よりも外側に平面１４Ｐが設けられていることから、清掃器具１０が作業台等の水平面上に置かれると、平面１４Ｐが作業台等に接するので、清掃器具１０の回転が防止され、予期せぬ場所に移動してしまうことがなく、また粘着性部材１２の作業台等に対する接触が確実に防止され、粘着性部材１２の粘着性は保たれる。なお、平面１４Ｐの形成により出射面１４Ｓが小さくなっている（図３（ａ）の正面図参照）ため、光源ユニット２０の電池２３からの電力を増加させて照明光の光量を補っても良い。
【００３０】
このように本実施形態においては、撮像ユニットとその周辺がより明るく照明され、清掃作業が容易になるので清掃時の作業性が向上するばかりでなく、作業台上に置いた時の回転と移動が防止でき、かつ粘着性部材１２の粘着性を保つことができるので清掃休止時も作業性が向上する。
【００３１】
図４は、第４の実施形態における清掃器具１０の正面図および断面図である。図５は、光源ユニット２０が本体部１４の粘着性部材１２側端部に取付けられた状態を示す清掃器具１０の断面図である。
【００３２】
本実施形態の清掃器具１０においては、光源ユニット２０が、本体部１４の表面１４Ｏの両端部付近を覆うように、本体部１４に着脱自在に取付け可能である点等が、第１の実施形態と異なる。すなわち、光源ユニット２０は、清掃器具１０の使用時であって撮像ユニット等の照明が必要であるときには、本体部１４の入射端部（入射側端部）１４Ｅ１側に取付けられ、清掃器具１０の未使用時には、粘着性部材１２、出射面１４Ｓ側の出射端部（出射側端部）１４Ｅ２側に取付けられる。なお、光源ユニット２０においては、取付けられたときに本体部１４から脱離することのないように、本体部１４の両端部付近が嵌合するための壁面部材２５が設けられている。
【００３３】
光源ユニット２０が、図４（ｂ）に示すように、粘着性部材１２とは反対側の入射端部１４Ｅ１に取付けられ、つまみ２１が矢印Ａの示す方向に回転されると、ＬＥＤ２４から出射された照明光が入射端部１４Ｅ１の端面に入射する。入射端部１４Ｅ１の端面に入射した照明光は内壁面１４Ｉに当たり、そこで全反射して効率的に導光部材１６に導かれる。導光部材１６に入射した照明光は、導光部材１６の内壁で全反射を繰り返しながら進み、最終的に矢印Ｂの示すように出射面１４Ｓから出射される。
【００３４】
なお、入射端部１４Ｅ１の材質は、本体１４と一体的な導光性を有するアクリル樹脂等には限定されない。他の汎用的な樹脂で中空に成型しアルミニウムメッキなどの反射面を設けても良い。また入射端部１４Ｅ１をガラスプリズムで形成しても良い。
【００３５】
一方、光源ユニット２０が、粘着性部材１２側、すなわち本体部１４の出射端部１４Ｅ２に取付けられると（図５参照）、粘着性部材１２は、光源ユニット２０の壁面部材２５、および本体部１４の出射面１４Ｓ等により密閉される。このため、清掃器具１０が使用されない場合、光源ユニット２０を出射端部１４Ｅ２に取付けられることにより、粘着性部材１２は保護され、外部からの異物の付着等による粘着性の低下が防止できる。
【００３６】
このように本実施形態においては、光源ユニット２０を本体部１４の両端部において着脱自在にすることにより、未使用時に光源ユニット２０によって覆われる粘着性部材１２は確実に保護される。
【００３７】
図６は、従来例の清掃器具の正面図および断面図である。図７は、本実施形態における照明ユニットの正面図および断面図である。
【００３８】
従来例の清掃器具３０においては、光源ユニット２０が設けられておらず、暗い環境下での撮像ユニット等の清掃には適していない。また、従来例の清掃器具３０の本体部３４の直径は粘着性部材３２の直径よりも小さく、さらに本体部３４において拡開部もしくは平面が設けられていないことから、清掃器具３０が作業台の上等に置かれると、粘着性部材３２に作業台上の異物等が付着して粘着性の低下を招き、また、予期せぬ場所へ回転移動する。
【００３９】
しかしながら、従来例の清掃器具３０に対し、本実施形態の照明ユニット４０を取付けることにより、これまでの実施形態における清掃器具１０と同様の効果が得られる。すなわち、本実施形態の照明ユニット４０は、第４の実施形態における清掃器具１０（図４および５参照）に類似の構造を有し、従来例の清掃器具３０に対して着脱自在である。このため、本実施形態の照明ユニット４０を従来例の清掃器具３０に取付けると、従来例の清掃器具３０を第４の実施形態の清掃器具１０と同様に使用することができる。
【００４０】
なお、図７および図４、５の比較により明らかであるように、本実施形態の照明ユニット４０は、図４、５に示す第４の実施形態の清掃器具１０における導光部材１６と光源ユニット２０とから構成されており、第４の実施形態の清掃器具１０から本体部１４の中心部１７のみを除いた構造を有している。そして照明ユニット４０の本体部１４は、取付けの対象となる清掃器具３０の形状に対応した形状を有している。
【００４１】
以上のように本実施形態においては、従来の清掃器具３０に着脱自在な照明ユニット４０を用いることにより、使用される清掃器具により撮像ユニット等が誤って必要以上に強い力で押圧されること等が防止され、撮像ユニットが保護される。さらに、照明光出射による清掃作業の効率化と、粘着性部材３４の保護が可能となる。
【００４２】
なお、清掃器具１０、照明ユニット４０の形状、材質等はいずれの実施形態にも限定されない。例えば、導光部材１６の材質、形状、光源ユニット２０の形状等については、上述の実施形態に示されたものを適宜組合せても良い。また粘着性部材１２は、ブチルゴムの他、粘着性を有するウレタン系樹脂、スチレンゴム系樹脂等で形成されても良い。なお、導光性のアクリル樹脂は屈折率が１．４９、臨界角は４２度であり、臨界角以下の入射角で入った光は透過することなく全反射する。導光部材１６は、この性質を応用したものである。
【図面の簡単な説明】
【００４３】
【図１】第１の実施形態における清掃器具の正面図および断面図である。
【図２】第２の実施形態における清掃器具の正面図および断面図である。
【図３】第３の実施形態における清掃器具の正面図および断面図である。
【図４】第４の実施形態における清掃器具の正面図および断面図である。
【図５】第４の実施形態における、光源ユニットが本体部の粘着性部材側端部に取り付けられた状態を示す清掃器具の断面図である。
【図６】従来例の清掃器具の正面図および断面図である。
【図７】本実施形態における照明ユニットの正面図および断面図である。
【符号の説明】
【００４４】
１０  清掃器具（撮像装置用清掃器具）
１２  粘着性部材
１４  本体部
１４Ｅ１  入射端部（入射側端部）
１４Ｅ２  出射端部（出射側端部）
１４Ｆ  拡開部
１４Ｉ  内壁面（反射面）
１４Ｐ  平面
１６  導光部材
２０  光源ユニット（撮像装置用光源ユニット）
２４  ＬＥＤ
４０  照明ユニット（撮像装置用照明ユニット）
【図１】
2008022471.tif 000003
【図２】
2008022471.tif 000004
【図３】
2008022471.tif 000005
【図４】
2008022471.tif 000006
【図５】
2008022471.tif 000007
【図６】
2008022471.tif 000008
【図７】
2008022471.tif 000009